(57)【要約】【課題】  本発明は、彫刻された突板のシルエット画を提供する。【解決手段】  本発明は図案を施し彫刻する材料は、木目調の０．２ｍｍ〜０．６ｍｍと薄く軽い木質の突板を用いるのが好ましい。彫刻された突板３は脆く破損しやすい為、ダストカバーとして彫刻された突板３の表面に透明な板１を被せる。若しくは透明樹脂で覆うことも可能。透明な板１の表面を透して見たとき、彫刻された突板３、落款の板２、表題の板４、敷物５、敷物６が見えるように配置する。また、図案の表が表面側、裏が裏面側とし、背面板８に透過性がある場合、彫刻された突板３の裏面側からは作品の説明の板７を見れるようにしても良い。突板が薄い為、表題の板、落款の板、敷物、説明の板も薄い材質材料を用い、透明な板１から背面板８までの作品を挟む。これらの固定箇所や方法は、留め具や空間に充填材等を用い、自由自在であり使用者に委ねる。【選択図】図１
2019151085.tif 000002
【特許請求の範囲】
【請求項１】
図案の表が表面側、裏が裏面側とし、図案を彫刻された突板３の裏面に敷物５の表面を設け、敷物５の裏面に敷物６の表面を設け、表面に作品の表題を記載された表題の板４の裏面を敷物６の表面に設け、表面に落款された落款の板２の裏面を敷物６の表面に設け、裏面に作品の説明を記載された説明の板７の表面を敷物６の裏面に設け、図案を彫刻された突板３の表面に透明な板１の裏面を設け、説明の板７の裏面に背面板８の表面を設けて、透明な板１と背面板８の間に作品を挟んで成るシルエット突板画。
【請求項２】
請求項１の図案を彫刻された突板、落款の板、表題の板、説明の板、敷物の数を作風に合わせ付け足したり、取り外して成るシルエット突板画。
【請求項３】
請求項１の透明な板１と背面板８は透明樹脂を用い覆って成るシルエット突板画。
【請求項４】
請求項３の透明樹脂は図案の表面側に透過性があり、裏面側に透過性がない樹脂で覆って成るシルエット突板画。
【請求項５】
請求項１の背面板８に透過性がない場合、説明の板７を敷物６の表面や背面板８の裏側に設け、請求項４の裏面側に透過性がない樹脂の場合、説明の板７を敷物６の表面に設けて成るシルエット突板画。
【発明の詳細な説明】
【技術分野】
【０００１】  本発明は、彫刻された突板のシルエット画に関するものである。
【背景技術】
【０００２】  従来、木工絵画である木画は、色や木目調の違う木材を用いて図柄や模様などを表現しており、木材等に象嵌模様を彫り込んだ象嵌材を木材等に埋め込んで象嵌装飾材を製造する方法を基本としている。【０００３】  一方、特開２００５−３１９７３４号公報に掲載された技術では、乾燥状態の熱可塑性樹脂が表面に付着した小片状材料の上に象嵌材を配置し、これを常温で加圧成型して得られる方法などが知られている。
【先行技術文献】
【特許文献】
【０００４】
【特許文献１】特開２００５−３１９７３４号公報
【発明の概要】
【発明が解決しようとする課題】
【０００５】  しかしながら、上述した木材を同じ厚みにする象嵌方法では、切断面や削り幅が大きくなるにつれ廃材が多かった。【０００６】特開２００５−３１９７３４号公報の実施例においても、加圧成型物は１５ｍｍから５０ｍｍの厚みとなるため、額縁の幅も増し持ち運びするにも困難な場合が多く生じ、設置する壁面の耐久性も十分に考慮する必要があった。【０００７】  木目調のある薄くて軽い突板に図案を施して彫刻するのは木屑が少なくて済むが、彫刻された突板だけでは陰影が乏しく、それ自体は鑑賞品には至ることはなく、彫刻された突板は脆いため、作風を保持したまま鑑賞するまでには至らなかった。【０００８】  本発明は、このような問題をなくすためになされたもので、木目調を活かした図案の画に陰影に強調をつけて作風を保持し、薄くて軽量な作品にすることのできるシルエット突板画を提供することを目的とする。
【課題を解決するための手段】
【０００９】  本発明は図案を施し彫刻する材料は、木目調の０．２ｍｍ〜０．６ｍｍと薄く軽い木質の突板を用いるのが好ましい。彫刻された突板３は脆く破損しやすい為、ダストカバーとして彫刻された突板３の表面に透明な板１を被せる。若しくは透明樹脂で覆うことも可能。透明な板１の表面を透して見たとき、彫刻された突板３、落款の板２、表題の板４、敷物５、敷物６が見えるように配置する。また、図案の表が表面側、裏が裏面側とし、背面板８に透過性がある場合、彫刻された突板３の裏面側からは作品の説明の板７を見れるようにしても良い。突板が薄い為、表題の板、落款の板、敷物、説明の板も薄い材質材料を用い、透明な板１から背面板８までの作品を挟む。これらの固定箇所や方法は、留め具や空間に充填材等を用い、自由自在であり使用者に委ねる。
【発明の効果】
【００１０】（イ）多種多様な木目調で彫刻された突板の背面側に設ける敷物によって、突板のシルエットと敷物、敷物同士との色のコントラストにより、見映えを良くするための役割と額装をすることが可能になり、作風の表現にも幅を出せる。
（ロ）薄い突板を用いるので、彫刻する際の木屑は少ない。
（ハ）軽い突板を用いるので、作品が軽量となり、作品の設置や持ち運びが容易となる。
（ニ）ダストカバーとして透明な板で表面を覆うことにより、脆く破損しやすい突板の作品の痛みを防ぐことも可能。
（ホ）透明板を用いず、透明樹脂で全体を覆い多角形や円形等の作品の作成も可能。また表面側は透明樹脂、裏面側は透過性がない樹脂で全体を覆う等して応用が可能。
（ヘ）落款や表題、説明に用いる文字の種類、透明な板と背面板は、色や大きさは作風に合わせ自在に変更と選択が可能。
（ト）敷物、落款の板、表題の板、説明の板については、色や柄や大きさや形や配置位置も作風に合わせ自在に変更と選択が可能であり、付け足しと取り外しが可能。
（チ）透明な板、敷物、落款の板、表題の板、説明の板、背面板は作風に合わせ、自在に素材選択が可能。
（リ）作品の意味は、正面や背面等から説明を見ることも出来る構成も可能。
（ヌ）画、表札や名札、御位牌として利用することが可能。
（ル）固定箇所や固定方法は自由自在であるので、卓上用壁掛け用など用途が広げられる。
【図面の簡単な説明】
【００１１】
【図１】  本発明の分解斜視図である。
【図２】  本発明の右側面図である。
【図３】  本発明の正面図である。
【図４】  本発明の背面図である。
【発明を実施するための形態】
【００１２】  本発明を実施形態について図面を参照して説明する。
図１において、図案の表が表面側、裏が裏面側とする。
図案を彫刻された突板３の裏面に敷物５の表面を設ける。
敷物５の裏面に敷物６の表面を設け、表面に落款された落款の板２の裏面を敷物６の表面に設け、表面に作品の表題を記載された表題の板４の裏面を敷物６の表面に設ける。
裏面に作品の説明を記載された説明の板７の表面を敷物６の裏面に設ける。
図案を彫刻された突板３の表面に透明な板１の裏面を設け、説明の板７の裏面に背面板８の表面を設け、透明な板１と背面板８の間に作品を挟む。若しくは透明板１と背面板８を用いず透明樹脂で全体を覆う。
本発明は以上のような構成である。
本発明を使用する際には、透明な板１と背面板８の縁の固定箇所や方法は、留め具や空間に充填材を用いる等して自由自在であり、使用者に委ねる。彫刻された文字絵・絵画を鑑賞し、作品の意味を知るときは背面側の説明を見て解釈出来るように利用すれば良い。
【符号の説明】
【００１３】  １  透明な板
２  落款の板
３  彫刻された突板
４  表題の板
５  敷物
６  敷物
７  説明の板
８  背面板
【図１】
2019151085.tif 000003
【図２】
2019151085.tif 000004
【図３】
2019151085.tif 000005
【図４】
2019151085.tif 000006